(57)【特許請求の範囲】
【請求項１】
靴底に装着可能とされるとともに、つま先領域、踵領域及びそれらの間に位置する中間領域のうち少なくともつま先領域及び中間領域を有する可撓性部材から成る中敷本体と、
該中敷本体内に形成され、少なくとも前記つま先領域と中間領域との間、及び前記中間領域と踵領域との間で液体を流動可能に封入し得る収容空間と、
前記収容空間を少なくとも前記つま先領域、中間領域及び踵領域に区分けする堰部と、
該堰部で区分けされた隣り合う領域間で、前記液体を流動可能としたオリフィス部と、
を備え、踵側がつま先側より高い靴の靴底に装着されることにより前記踵領域が前記つま先領域及び中間領域より高い位置とされる靴底用中敷であって、
前記つま先領域と中間領域とを区分けする堰部に形成されたオリフィス部は、前記中間領域の側縁部内側に位置する土踏まず部に向かって開口し、当該つま先領域から中間領域に流入した液体が当該中間領域で渦流を生じ得るとともに、前記中間領域と踵領域とを区分けする堰部に形成されたオリフィス部は、前記中間領域の前記土踏まず部に向かって開口したことを特徴とする靴底用中敷。
【請求項２】
前記中敷本体は、柔軟な合成樹脂シートから成ることを特徴とする請求項１記載の靴底用中敷。
【発明の詳細な説明】
【技術分野】
【０００１】
本発明は、ハイヒールやミドルヒール等、踵側がつま先側より高い靴の靴底に装着し得る靴底用中敷に関するものである。
【背景技術】
【０００２】
靴底に装着して足裏へ付与される衝撃を緩和することを目的とした靴底用中敷（インソール）として、例えば特許文献１にて開示されたものが挙げられる。かかる文献で開示された靴底用中敷は、可撓性を有する被覆材の内部に液体を流動可能に封入したものから成り、衝撃の緩和に加え、液体の流動による被覆材の僅かな膨らみと、それによる押圧効果をも奏するよう構成されていた。
【０００３】
しかるに、上記の靴底用中敷は、被覆材にて形成された液体の収容空間が当該中敷の略全域に亘って単に１つ形成されているため、歩行時における液体の移動を理想的に設定することが困難となっており、足裏に対する衝撃の緩和効果及び押圧効果が十分でないという不具合があることから、従来技術として、例えば特許文献２にて開示された靴底用中敷が提案されるに至っている。
【先行技術文献】
【特許文献】
【０００４】
【特許文献１】特開２０００−１９７５０４号公報
【特許文献２】特開２００７−３０１２７５号公報
【発明の概要】
【発明が解決しようとする課題】
【０００５】
しかしながら、上記従来技術においては、スニーカーの如くつま先側から踵側に亘って略均等高さの靴の靴底に適用した場合、踵領域から中間領域に向かって流入する液体において渦流を生じさせ、足裏に対する衝撃の緩和効果及び押圧効果を発揮させ得るものの、ハイヒールやミドルヒールの如く踵側がつま先側より高い靴底に適用した場合、歩行過程において中間領域に渦流を生じさせるのが困難となってしまい、足裏に対する衝撃の緩和効果及び押圧効果を十分に発揮させることができないという問題があった。
【０００６】
すなわち、踵側がつま先側より高い靴底に靴底用中敷を装着すると、収容空間内の液体が重力によって常につま先領域側に移動した状態とされ、踵領域から中間領域に液体を流通させて渦流を生じさせることが困難とされるのである。また、ハイヒールやミドルヒールの如き靴を履いて歩行する際、スニーカーの如き靴を履いて歩行する場合とは異なり、つま先から着地した後、つま先にて蹴り上げることが多く、従来の如く踵領域を押圧して中間領域に液体を流入させて渦流を生じさせることが困難となっている。
【０００７】
本発明は、このような事情に鑑みてなされたもので、ハイヒールやミドルヒールの如き踵側がつま先側より高い靴の靴底に装着され、歩行過程で中間領域にて渦流を確実且つ良好に生じさせることができ、足裏に対する衝撃の緩和効果及び押圧効果を十分に発揮させることができる靴底用中敷を提供することにある。
【課題を解決するための手段】
【０００８】
請求項１記載の発明は、靴底に装着可能とされるとともに、つま先領域、踵領域及びそれらの間に位置する中間領域のうち少なくともつま先領域及び中間領域を有する可撓性部材から成る中敷本体と、該中敷本体内に形成され、少なくとも前記つま先領域と中間領域との間、及び前記中間領域と踵領域との間で液体を流動可能に封入し得る収容空間と、前記収容空間を少なくとも前記つま先領域、中間領域及び踵領域に区分けする堰部と、該堰部で区分けされた隣り合う領域間で、前記液体を流動可能としたオリフィス部とを備え、踵側がつま先側より高い靴の靴底に装着されることにより前記踵領域が前記つま先領域及び中間領域より高い位置とされる靴底用中敷であって、前記つま先領域と中間領域とを区分けする堰部に形成されたオリフィス部は、前記中間領域の側縁部内側に位置する土踏まず部に向かって開口し、当該つま先領域から中間領域に流入した液体が当該中間領域で渦流を生じ得るとともに、前記中間領域と踵領域とを区分けする堰部に形成されたオリフィス部は、前記中間領域の前記土踏まず部に向かって開口したことを特徴とする。
【０００９】
請求項２記載の発明は、請求項１記載の靴底用中敷において、前記中敷本体は、柔軟な合成樹脂シートから成ることを特徴とする。
【発明の効果】
【００１２】
請求項１の発明によれば、つま先領域と中間領域とを区分けする堰部に形成されたオリフィス部は、中間領域の側縁部内側に位置する土踏まず部に向かって開口し、当該つま先領域から中間領域に流入した液体が土踏まず部の側縁に沿って回りながら流れ、当該中間領域で渦流を生じ得るので、ハイヒールやミドルヒールの如き踵側がつま先側より高い靴の靴底に装着され、歩行過程で中間領域にて渦流を確実且つ良好に生じさせることができ、足裏に対する衝撃の緩和効果、及び渦流により中間領域を膨らませることによって押圧効果を十分に発揮させることができる。
【００１３】
請求項２の発明によれば、中敷本体は、柔軟な合成樹脂シートから成るので、ハイヒールやミドルヒールの如き踵側がつま先側より高い靴の靴底の形状に倣って良好に装着可能とされるとともに、液体の流動に伴って中敷本体の厚さ方向にスムーズに膨らみを持たせ、押圧効果を容易且つ確実に奏することができる。
【図面の簡単な説明】
【００１６】
【図１】本発明の実施形態に係る靴底用中敷が適用される靴の断面模式図
【図２】同靴底用中敷における靴を履いた足との位置関係を示す平面図
【図３】同靴底用中敷を示す平面図
【図４】図３中ＩＶ−ＩＶ線断面図
【図５】第１の参考例に係る靴底用中敷を示す平面図
【図６】第２の参考例に係る靴底用中敷を示す平面図
【図７】第３の参考例に係る靴底用中敷を示す平面図
【図８】本発明の他の実施形態に係る靴底用中敷を示す平面図
【図９】本発明の他の参考例に係る靴底用中敷を示す平面図
【図１０】本発明の他の参考例に係る靴底用中敷を示す平面図
【図１１】本発明の実施形態に係る靴底用中敷の技術的優位性を示す実験で使用された機器を示す模式図
【発明を実施するための形態】
【００１７】
以下、本発明の実施形態について図面を参照しながら具体的に説明する。
本実施形態に係る靴底用中敷は、図１に示すように、ハイヒールやミドルヒール等、踵側にヒールＫｂを有することで、踵側がつま先側より高い靴Ｋの靴底Ｋａに装着し得るもので、図２及び図３に示すように、中敷本体１と、該中敷本体１内に形成された収容空間と、第１堰部（２ａ、２ｂ）及び第２堰部（３ａ、３ｂ）と、オリフィス部（Ｒ１、Ｒ２）とを有して構成されている。なお、本実施形態に適用される靴Ｋとしてのハイヒールやミドルヒールは、ヒールＫｂの高さが６〜７ｃｍ以上（ハイヒール）、３．５〜５．５ｃｍ（ミドルヒール）のものを指し、ローヒール（ヒールＫｂの高さが３ｃｍ程度）及びフラットヒール（ヒールＫｂの高さが１．５ｃｍ以下）のものよりもヒールＫｂの高さが相対的に高いものをいう。
【００１８】
中敷本体１は、靴底に装着可能とされるとともに、つま先領域Ａ、踵領域Ｃ及びそれらの間に位置する中間領域Ｂを有する可撓性部材から成るもので、図４に示すように、上側中敷本体１ａ及び下側中敷本体１ｂを接着又は溶着して内部に液体を封入して成る。これら上側中敷本体１ａ及び下側中敷本体１ｂは、靴底Ｒａに装着可能なように当該靴底Ｒａの形状に略倣った形状とされた２枚の可撓性部材（例えば弾性に富んで柔軟な合成樹脂シート）から成るものであり、それぞれを重ね合わせつつ互いの縁部を例えば熱溶着にて接着させることにより、内部に液体を液密に収容する収容空間が形成されている。
【００１９】
また、中敷本体１内に収容される液体は、多価アルコールの水溶液（例えば水とプロピレングリコール等を混合して得られた不凍液等）から成るものであり、当該多価アルコールが５（ｗｔ％）〜６５（ｗｔ％）の水溶液、特に好ましくは３０（ｗｔ％）〜６０（ｗｔ％）の水溶液である。多価アルコールの粘度は、常温で１（ＣＰ）〜５００（ＣＰ）の範囲であればよく、１（ＣＰ）〜１００（ＣＰ）程度が好ましく、１（ＣＰ）〜６０（ＣＰ）程度が更に好ましい。なお、中敷本体１内に収容される液体を水のみ（微量の添加物を含有するもの含む）或いは多価アルコールのみとしてもよい。
【００２０】
第１堰部２ａ、２ｂ及び第２堰部３ａ、３ｂは、２枚の中敷本体１（上側中敷本体１ａ及び下側中敷本体１ｂ）の所定部位を例えば熱溶着にて接着させ、当該中敷本体１が成す収容空間をつま先領域Ａ、踵領域Ｃ及びそれらの間に位置する中間領域Ｂに区分けするものである。すなわち、中敷本体１が靴底Ｋａに装着された際のつま先部に相当する領域がつま先領域Ａ、踵部に相当する領域が踵領域Ｃ、それらの中間の領域が中間領域Ｂとなるよう、第１堰部２ａ、２ｂ（つま先領域Ａと中間領域Ｂとを区分けする堰部）及び第２堰部３ａ、３ｂ（中間領域Ｂと踵領域Ｃとを区分けする席部）が形成されているのである。
【００２１】
これら堰部２ａ、２ｂ及び３ａ、３ｂは、上側中敷本体１ａ及び下側中敷本体１ｂの接着された縁部からそれぞれ内側に向かって延びるとともに、先端が離間してオリフィス部Ｒ１及びＲ２を構成している。これらオリフィス部Ｒ１及びＲ２は、堰部２ａ、２ｂ及び３ａ、３ｂで区分けされた隣り合う領域間で内在する液体が流動するよう離間寸法が設定されており、つま先領域Ａと中間領域Ｂとの間をオリフィス部Ｒ１を介して液体が流動し得るとともに、中間領域Ｂと踵領域との間をオリフィス部Ｒ２を介して液体が流動し得るようになっている。
【００２２】
ここで、本実施形態に係る靴底用中敷は、図２及び図３に示すように、つま先領域Ａと中間領域Ｂとを区分けする第１堰部（２ａ、２ｂ）に形成されたオリフィス部Ｒ１が、中間領域Ｂの側縁部内側に位置する土踏まず部Ｂａに向かって開口し、当該つま先領域Ａから中間領域Ｂに流入した液体が当該中間領域Ｂで渦流を生じ得るよう構成されている。すなわち、第１堰部２ａの先端部が第１堰部２ｂの先端部より中敷本体１の長手方向において踵部側に位置することにより、オリフィス部Ｒ１の開口が中敷本体１の長手方向に対して側縁部内側の土踏まず部Ｂａに偏向させており、歩行時につま先領域Ａに荷重が付与されると、図３中矢印の如く液体が中間領域Ｂにおいて大きく渦巻き状に流動し、土踏まず部Ｂａを膨らませ易くなっているのである。
【００２３】
しかるに、本実施形態の靴底用中敷が適用される靴Ｋの如く、ヒールＫｂを有することで踵側がつま先側より高いもの（ハイヒールやミドルヒール等）の場合、歩行過程において、通常、踵部とつま先部がほぼ同時に接地することにより体重を踵部とつま先部とで分担して受け、その後、体重移動によってつま先部で全体重を受けるようになっており、フラットヒールやローヒールの靴に比べて、つま先部で全体重を受ける時間が長い。
【００２４】
また、踵側がつま先側より高い靴Ｋにおいては、その靴底Ｋａに靴底用中敷を装着すると、踵領域Ｃ内の液体が重力によって中間領域Ｂ側に溜まり易くなっている。したがって、ハイヒールやミドルヒール等に適用する本実施形態においては、踵部がそれほど高くない靴に適用する場合に比べ、歩行過程において、つま先領域Ａから中間領域Ｂに向かって液体が流入し易くなっており、この中間領域Ｂへの液体の流入時、土踏まず部Ｂａに向かって液体を流入させて渦流を生じさせることにより当該土踏まず部Ｂａを膨らませることができるのである。
【００２５】
なお、本実施形態においては、第２堰部３ａの先端部が第２堰部３ｂの先端部より中敷本体１の長手方向においてつま先側に位置していることから、つま先領域Ａから中間領域Ｂに流入した液体の一部が踵領域Ｃに流れ込み易くなっており、歩行過程で中間領域Ｂに生じる渦流の一部を踵領域Ｃ側に逃がすことができ、土踏まず部Ｂａが過度に膨らんでしまうのを防止できるよう構成されている。
【００２６】
しかして、本靴底用中敷が装着された靴Ｋを履いて歩行する際、足裏接地時においてつま先領域Ａに圧力が付与されると、オリフィス部Ｒ１から中間領域Ｂへ液体が流れ渦流を形成するので、土踏まず部Ｂａにおける厚さ方向に中敷本体１が膨らむ。この膨らみにより、足裏の土踏まずと靴底用中敷の土踏まず部Ｂａとの間の隙間が埋まり、体重移動がなされる際、当該土踏まず部Ｂａにも体重による負荷が分散され、足裏全体で体重を支えることとなる。
【００２７】
したがって、歩行タイミングに合致して必要な部位への理想的な液体の移動を実現させることができるので、足裏に対する衝撃の緩和を図ることができるとともに、つま先領域Ａから流動する液体が中間領域Ｂにおいて渦流を形成させるので、土踏まず部Ｂａを厚み方向に一層膨らませることができ、足裏の土踏まずに対する押圧効果を十分に行わせることができる。
【００２８】
上記実施形態によれば、つま先領域Ａと中間領域Ｂとを区分けする堰部（第１堰部２ａ、２ｂ）に形成されたオリフィス部Ｒ１は、中間領域Ｂの側縁部内側に位置する土踏まず部Ｂａに向かって開口し、当該つま先領域Ａから中間領域Ｂに流入した液体が土踏まず部Ｂａの側縁に沿って回りながら流れ、当該中間領域Ｂで渦流を生じ得るので、ハイヒールやミドルヒールの如き踵側がつま先側より高い靴Ｋの靴底Ｋａに装着され、歩行過程で中間領域Ｂにて渦流を確実且つ良好に生じさせることができ、足裏に対する衝撃の緩和効果及び押圧効果を十分に発揮させることができる。
【００２９】
また、中敷本体１は、柔軟な合成樹脂シートから成るので、ハイヒールやミドルヒールの如き踵側がつま先側より高い靴Ｋの靴底Ｋａの形状に倣って良好に装着可能とされるとともに、液体の流動に伴って中敷本体１の厚さ方向にスムーズに膨らみを持たせ、押圧効果を容易且つ確実に奏することができる。なお、つま先領域Ａ、中間領域Ｂ及び踵領域Ｃは、任意の大きさ及び形状とすることができ、例えば図８に示すように、つま先領域Ａを比較的大きく設定したものであってもよい。
【００３０】
次に、第１の参考例について説明する。
本参考例に係る靴底用中敷は、実施形態と同様、靴底に装着され得る中敷（インソール）から成るものであり、図５に示すように、中敷本体１と、該中敷本体１内に形成された収容空間と、第１堰部（２ａ、２ｂ）及び第２堰部（３ａ、３ｂ）と、オリフィス部（Ｒ１、Ｒ２）とを有して構成されている。なお、本実施形態に係る靴底用中敷は、実施形態と同様、ハイヒールやミドルヒール等、踵側にヒールＫｂを有することで、踵側がつま先側より高い靴Ｋの靴底Ｋａに装着し得るものである（図１参照）。
【００３１】
本参考例に係る靴底用中敷は、実施形態と同様、つま先領域Ａと中間領域Ｂとを区分けする第１堰部（２ａ、２ｂ）に形成されたオリフィス部Ｒ１が、中間領域Ｂの側縁部内側に位置する土踏まず部Ｂａに向かって開口し、当該つま先領域Ａから中間領域Ｂに流入した液体が当該中間領域Ｂで渦流を生じ得るよう構成されている。すなわち、第１堰部２ａの先端部が第１堰部２ｂの先端部より中敷本体１の長手方向において踵部側に位置することにより、オリフィス部Ｒ１の開口が中敷本体１の長手方向に対して側縁部内側の土踏まず部Ｂａに偏向させており、歩行時につま先領域Ａに荷重が付与されると、図５中矢印の如く液体が中間領域Ｂにおいて大きく渦巻き状に流動し、土踏まず部Ｂａを膨らませ易くなっているのである。
【００３２】
ここで、本参考例においては、第２堰部３ｂの先端部が第２堰部３ａの先端部より中敷本体１の長手方向においてつま先側に位置していることから、中間領域Ｂと踵領域Ｃとの間に形成されたオリフィス部Ｒ２は、中間領域Ｂに生じた渦流の液体が踵領域Ｃに流入するのを制限する方向に開口している。これにより、つま先領域Ａから中間領域Ｂに流入した液体が踵領域Ｃに流れてしまうのを抑制することができ、歩行過程で土踏まず部Ｂａを確実に膨らませることができるよう構成されている。
【００３３】
上記参考例によれば、つま先領域Ａと中間領域Ｂとを区分けする堰部（第１堰部２ａ、２ｂ）に形成されたオリフィス部Ｒ１は、中間領域Ｂの側縁部内側に位置する土踏まず部Ｂａに向かって開口し、当該つま先領域Ａから中間領域Ｂに流入した液体が土踏まず部Ｂａの側縁に沿って回りながら流れ、当該中間領域Ｂで渦流を生じ得るので、ハイヒールやミドルヒールの如き踵側がつま先側より高い靴Ｋの靴底Ｋａに装着され、歩行過程で中間領域Ｂにて渦流を確実且つ良好に生じさせることができ、足裏に対する衝撃の緩和効果及び押圧効果を十分に発揮させることができる。
【００３４】
また、中敷本体１は、柔軟な合成樹脂シートから成るので、ハイヒールやミドルヒールの如き踵側がつま先側より高い靴Ｋの靴底Ｋａの形状に倣って良好に装着可能とされるとともに、液体の流動に伴って中敷本体１の厚さ方向にスムーズに膨らみを持たせ、押圧効果を容易且つ確実に奏することができる。なお、つま先領域Ａ、中間領域Ｂ及び踵領域Ｃは、任意の大きさ及び形状とすることができ、例えば図９に示すように、つま先領域Ａを比較的大きく設定したものであってもよい。
【００３５】
さらに、収容空間は、つま先領域Ａ及び中間領域Ｂに加えて踵領域Ｃにも形成されるとともに、当該中間領域Ｂと踵領域Ｃとの間に形成されたオリフィス部Ｒ２は、中間領域Ｂに生じた渦流の液体が踵領域Ｃに流入するのを制限する方向に開口したので、中間領域Ｂで渦流を生じさせつつ踵領域Ｃの収容空間を中間領域Ｂの液体のバッファとして機能させることができる。
【００３６】
次に、第２の参考例について説明する。
本参考例に係る靴底用中敷は、実施形態と同様、靴底に装着され得る中敷（インソール）から成るものであり、図６に示すように、中敷本体１と、該中敷本体１内に形成された収容空間と、第１堰部（２ａ、２ｂ）及び第２堰部（３ａ、３ｂ）と、オリフィス部（Ｒ１、Ｒ２）とを有して構成されている。なお、本実施形態に係る靴底用中敷は、実施形態及び第１の参考例と同様、ハイヒールやミドルヒール等、踵側にヒールＫｂを有することで、踵側がつま先側より高い靴Ｋの靴底Ｋａに装着し得るものである（図１参照）。
【００３７】
本参考例に係る靴底用中敷は、実施形態及び第２の参考例と同様、つま先領域Ａと中間領域Ｂとを区分けする第１堰部（２ａ、２ｂ）に形成されたオリフィス部Ｒ１が、中間領域Ｂの側縁部内側に位置する土踏まず部Ｂａに向かって開口し、当該つま先領域Ａから中間領域Ｂに流入した液体が当該中間領域Ｂで渦流を生じ得るよう構成されている。すなわち、第１堰部２ａの先端部が第１堰部２ｂの先端部より中敷本体１の長手方向において踵部側に位置することにより、オリフィス部Ｒ１の開口が中敷本体１の長手方向に対して側縁部内側の土踏まず部Ｂａに偏向させており、歩行時につま先領域Ａに荷重が付与されると、図６中矢印の如く液体が中間領域Ｂにおいて大きく渦巻き状に流動し、土踏まず部Ｂａを膨らませ易くなっているのである。
【００３８】
ここで、本参考例においては、中間領域Ｂと隣接した位置（踵部側）に緩衝領域Ｄが形成されている。かかる緩衝領域Ｄは、足裏の踵部Ｇに比べて小さい部位の収容空間から成るとともに、第２堰部３ｂの先端部が第２堰部３ａの先端部より中敷本体１の長手方向においてつま先側に位置していることから、中間領域Ｂと緩衝領域Ｄとの間に形成されたオリフィス部Ｒ２は、中間領域Ｂに生じた渦流の液体が緩衝領域Ｄに流入するのを制限する方向に開口している。
【００３９】
これにより、つま先領域Ａから中間領域Ｂに流入した液体が緩衝領域Ｄに流れてしまうのを抑制することができ、歩行過程で土踏まず部Ｂａを確実に膨らませることができるとともに、歩行過程で中間領域Ｂに生じる渦流の一部を緩衝領域Ｄ側に逃がすことができ、土踏まず部Ｂａが過度に膨らんでしまうのを防止できるよう構成されている。なお、踵部Ｇには、例えばウレタン、シリコン、ゴム、ゲル等の材料から成る弾性部材を形成するのが好ましく、当該弾性部材によって足裏の踵部Ｇに付与される衝撃を吸収することができる。
【００４０】
上記参考例によれば、つま先領域Ａと中間領域Ｂとを区分けする堰部（第１堰部２ａ、２ｂ）に形成されたオリフィス部Ｒ１は、中間領域Ｂの側縁部内側に位置する土踏まず部Ｂａに向かって開口し、当該つま先領域Ａから中間領域Ｂに流入した液体が土踏まず部Ｂａの側縁に沿って回りながら流れ、当該中間領域Ｂで渦流を生じ得るので、ハイヒールやミドルヒールの如き踵側がつま先側より高い靴Ｋの靴底Ｋａに装着され、歩行過程で中間領域Ｂにて渦流を確実且つ良好に生じさせることができ、足裏に対する衝撃の緩和効果及び押圧効果を十分に発揮させることができる。
【００４１】
また、中敷本体１は、柔軟な合成樹脂シートから成るので、ハイヒールやミドルヒールの如き踵側がつま先側より高い靴Ｋの靴底Ｋａの形状に倣って良好に装着可能とされるとともに、液体の流動に伴って中敷本体１の厚さ方向にスムーズに膨らみを持たせ、押圧効果を容易且つ確実に奏することができる。なお、つま先領域Ａ、中間領域Ｂ及び緩衝領域Ｄは、任意の大きさ及び形状とすることができ、例えば図１０に示すように、つま先領域Ａを比較的大きく設定したものであってもよい。
【００４２】
さらに、収容空間は、つま先領域Ａ及び中間領域Ｂに加えて緩衝領域Ｄにも形成されるとともに、当該中間領域Ｂと緩衝領域Ｄとの間に形成されたオリフィス部Ｒ２は、中間領域Ｂに生じた渦流の液体が緩衝領域Ｄに流入するのを制限する方向に開口したので、中間領域Ｂで渦流を生じさせつつ緩衝領域Ｄの収容空間を中間領域Ｂの液体のバッファとして機能させることができる。
【００４３】
次に、第３の参考例について説明する。
本参考例に係る靴底用中敷は、実施形態と同様、靴底に装着され得る中敷（インソール）から成るものであり、図７に示すように、中敷本体１と、該中敷本体１内に形成された収容空間と、堰部２ａ、２ｂと、オリフィス部Ｒ１とを有して構成されている。なお、本参考例に係る靴底用中敷は、実施形態及び第２、３の参考例と同様、ハイヒールやミドルヒール等、踵側にヒールＫｂを有することで、踵側がつま先側より高い靴Ｋの靴底Ｋａに装着し得るものである（図１参照）。
【００４４】
本参考例に係る靴底用中敷は、実施形態及び第１、２の参考例と同様、つま先領域Ａと中間領域Ｂとを区分けする堰部（２ａ、２ｂ）に形成されたオリフィス部Ｒ１が、中間領域Ｂの側縁部内側に位置する土踏まず部Ｂａに向かって開口し、当該つま先領域Ａから中間領域Ｂに流入した液体が当該中間領域Ｂで渦流を生じ得るよう構成されている。すなわち、堰部２ａの先端部が堰部２ｂの先端部より中敷本体１の長手方向において踵部側に位置することにより、オリフィス部Ｒ１の開口が中敷本体１の長手方向に対して側縁部内側の土踏まず部Ｂａに偏向させており、歩行時につま先領域Ａに荷重が付与されると、図７中矢印の如く液体が中間領域Ｂにおいて大きく渦巻き状に流動し、土踏まず部Ｂａを膨らませ易くなっているのである。
【００４５】
ここで、本参考例においては、足裏の踵部Ｇには、収容空間が形成されず、弾性部材Ｈが形成されている。かかる弾性部材Ｈは、ウレタン、シリコン、ゴム、ゲル等から成るものが好ましく、当該弾性部材Ｈによって足裏の踵部Ｇに付与される衝撃を吸収することができる。弾性部材Ｈは、靴底用中敷に接着されたものであってもよく、靴底内において足裏の踵部Ｇに相当する部位に単に載置されたものであってもよい。
【００４６】
これにより、歩行過程において、踵部Ｇに付与された衝撃を弾性部材Ｈにて吸収し得るとともに、足裏接地時においてつま先領域Ａに圧力が付与されると、オリフィス部Ｒ１から中間領域Ｂへ液体が流れ渦流を形成するので、土踏まず部Ｂａにおける厚さ方向に中敷本体１が膨らみ、足裏の土踏まずに対する押圧効果を十分に行わせることができる。本実施形態によれば、踵部Ｇには、収容空間が形成されず、弾性部材Ｈが形成されたので、踵部に付与された衝撃を弾性部材Ｈにて確実に和らげることができる。
【００４７】
次に、上記靴底用中敷の効果を実証するための実験結果について説明する。
本実験においては、図１１に示すように、ヒールＫｂの高さが５ｃｍ、サイズ２４ｃｍの婦人用パンプスＫ（ミドルヒール）の靴底Ｋａに本靴底用中敷Ｉ（具体的には、実施形態と同一形状の靴底用中敷であって、中敷本体１の材質がポリ塩化ビニル、厚さが０．６ｍｍ、収容空間に封入される液体がプロピレングリコール４０％含有の水とされたもの）を装着し、その上に薄革シートＬ及びセンサシートＳを順に積層しておいた。このセンサシートは、足裏接地面積と、足裏圧力を計測することができるＦスキャン（（株）ニッタ製）と称されるものである。
【００４８】
そして、健常者９名の被験者に靴底用中敷Ｉを装着した靴Ｋと靴底用中敷Ｉを装着させない靴Ｋをそれぞれ履かせ、トレッドミル上を速度６０ｍ／分程度で歩行させることにより、靴底用中敷Ｉを装着した場合の足裏接地面積及び足裏圧力、靴底用中敷Ｉを装着しない場合の足裏接地面積及び足裏圧力のそれぞれの測定値を得るとともに、被験者９名の測定値の平均値を算出することとした。以下にその結果を示す。
【００４９】
靴底用中敷Ｉを装着しない場合をＡ、靴底用中敷Ｉを装着した場合をＢとすると、足裏全面接触面積は、Ａが６４．４ｃｍ２、Ｂが９３．５ｃｍ２であり、Ｂ／Ａが１．５であった。また、土踏まず部Ｂａでの足裏接地面積は、Ａが２．５ｃｍ２、Ｂが１８．３ｃｍ２であり、Ｂ／Ａが１３．１であった。さらに、踵部接地時の最大足圧は、Ａが２１４．６ｋＰａ、Ｂが１３１．７ｋＰａであり、Ｂ／Ａが０．６７であった。またさらに、つま先部離地時の最大足圧は、Ａが３６５．３ｋＰａ、Ｂが３２３．９ｋＰａであり、Ｂ／Ａが０．９８であった。
【００５０】
上記結果より、土踏まず部Ｂａでの足裏接地面積は、靴底用中敷Ｉを装着した場合の方が装着しない場合よりも１０倍以上となっており、土踏まず部Ｂａを液体が支える効果が極めて高いことが分かる。また、踵部接地時の最大足圧は、靴底用中敷Ｉを装着した場合が装着しない場合の６７％となっており、ヒールＫｂの高さが５ｃｍでありながら、液体が踵部まで上昇し、踵部での最大足圧を約３０％低下させていることが分かる。
【００５１】
以上、本実施形態について説明したが、本発明はこれらに限定されず、例えば中敷本体１の材質や収容空間内に封入する液体の種類等を任意変更することができる。
【産業上の利用可能性】
【００５２】
つま先領域と中間領域とを区分けする堰部に形成されたオリフィス部が、中間領域の側縁部内側に位置する土踏まず部に向かって開口し、当該つま先領域から中間領域に流入した液体が当該中間領域で渦流を生じ得るとともに、中間領域と踵領域とを区分けする堰部に形成されたオリフィス部は、中間領域の土踏まず部に向かって開口した靴底用中敷であれば、外観形状が異なるもの或いは他の機能が付加されたもの等にも適用することができる。
【符号の説明】
【００５３】
１    中敷本体
２ａ、２ｂ  第１堰部
３ａ、３ｂ  第２堰部
Ａ    つま先領域
Ｂ    中間領域
Ｃ    踵領域
Ｋ    靴（ハイヒール又はミドルヒール）
【図１】
0006480737.tif 000002
【図２】
0006480737.tif 000003
【図３】
0006480737.tif 000004
【図４】
0006480737.tif 000005
【図５】
0006480737.tif 000006
【図６】
0006480737.tif 000007
【図７】
0006480737.tif 000008
【図８】
0006480737.tif 000009
【図９】
0006480737.tif 000010
【図１０】
0006480737.tif 000011
【図１１】
0006480737.tif 000012